(57)【要約】【課題】外部からレンズ鏡筒に加わる衝撃をより適切に低減すること。【解決手段】光学部材Ｌ４と、前記光学部材Ｌ４を保持する光学部材保持部１１１と、前記光学部材保持部１１１の対物側に設置された緩衝部材２０１と、前記緩衝部材２０１の対物側に設置され、前記光学部材Ｌ４よりも対物側に位置する枠体２０２と、を備えることを特徴とする。【選択図】図２
2014035371.tif 000002
【特許請求の範囲】
【請求項１】
光学部材と、
前記光学部材を保持する光学部材保持部と、
前記光学部材保持部の対物側に設置された緩衝部材と、
前記緩衝部材の対物側に設置され、前記光学部材よりも対物側に位置する枠体と、
を備えることを特徴とするレンズ鏡筒。
【請求項２】
請求項１に記載のレンズ鏡筒であって、
前記緩衝部材は弾性体によって構成され、
前記枠体に対物側から外力が加わった場合、前記枠体が前記緩衝部材を圧縮しながら移動することを特徴とするレンズ鏡筒。
【請求項３】
請求項１に記載のレンズ鏡筒であって、
前記枠体は、前記緩衝部材及び前記光学部材保持部の外周側を覆う外筒部を備え、
前記緩衝部材は、前記外筒部との間に空間を設けて設置された弾性部材によって構成されることを特徴とするレンズ鏡筒。
【請求項４】
請求項２または３に記載のレンズ鏡筒であって、
前記緩衝部材の外周側の面は、光軸に沿う断面が凹状に形成されていることを特徴とするレンズ鏡筒。
【請求項５】
請求項１に記載のレンズ鏡筒であって、
前記緩衝部材は、一端が前記枠体に支持され、他端が前記光学部材保持部に支持されるばね部材によって構成されることを特徴とするレンズ鏡筒。
【請求項６】
請求項１から５のいずれか１項に記載のレンズ鏡筒であって、
前記光学部材保持部の対物側端面に前記枠体及び前記緩衝部材を保持させるねじ部材と、
前記ねじ部材の頭頂部を対物側から覆うカバー部材と、を備え、
前記カバー部材は、弾性部材によって構成され、前記ねじ部材の前記頭頂部との間に空間を設けて設置されることを特徴とするレンズ鏡筒。
【請求項７】
光学部材と、
前記光学部材を保持する光学部材保持部と、
前記光学部材保持部の対物側に設置された緩衝部材と、
前記緩衝部材の対物側に設置され、前記光学部材よりも対物側に位置する枠体と、を備えるレンズ鏡筒と、
前記レンズ鏡筒に装着され、前記レンズ鏡筒によって得られた光学的な被写体像を撮像するカメラ本体と、
を備えることを特徴とするカメラ。
【発明の詳細な説明】
【技術分野】
【０００１】
本発明は、レンズ鏡筒及びカメラに関する。
【背景技術】
【０００２】
従来、レンズ鏡筒として、複数のレンズを備え、レンズをその光軸に沿って移動させることにより、撮影における焦点距離の調整やズーミングを行うものが知られている。
このようなレンズ鏡筒には、レンズや、レンズを移動するためのカム筒等の機構を高い精度で位置決めすることが要求される。このように位置決めされたレンズ等の位置ずれを防止する従来技術としては、例えば、特許文献１に記載された発明が知られている。
特許文献１には、レンズ鏡筒における衝撃を低減し、レンズ等を保護する機構を備えたレンズ鏡筒が開示されている。
【先行技術文献】
【特許文献】
【０００３】
【特許文献１】特許第３６４８７３４号
【発明の概要】
【発明が解決しようとする課題】
【０００４】
しかしながら、特許文献１に記載された技術においては、ズーム用の可動レンズを操作棒で操作する場合に、レンズが振動して像のピンボケが起こることを防止しているものの、カメラに外部から力が加わった場合の衝撃を低減することが困難である。
即ち、カメラをカメラバックに収納して携帯する時やカメラの操作時等に、レンズ鏡筒が他の物体と接触する場合があり、従来の技術においては、レンズ鏡筒に加わる外部からの衝撃を適切に低減することが困難であった。
本発明の課題は、外部からレンズ鏡筒に加わる衝撃をより適切に低減することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
請求項１に記載の発明は、光学部材（Ｌ４）と、前記光学部材（Ｌ４）を保持する光学部材保持部（１１１）と、前記光学部材保持部（１１１）の対物側に設置された緩衝部材（２０１）と、前記緩衝部材（２０１）の対物側に設置され、前記光学部材（Ｌ４）よりも対物側に位置する枠体（２０２）と、を備えることを特徴とするレンズ鏡筒（１０）である。
請求項２に記載の発明は、請求項１に記載のレンズ鏡筒（１０）であって、前記緩衝部材（２０１）は弾性体によって構成され、前記枠体（２０２）に対物側から外力が加わった場合、前記枠体（２０２）が前記緩衝部材（２０１）を圧縮しながら移動することを特徴とするレンズ鏡筒（１０）である。
請求項３に記載の発明は、請求項１に記載のレンズ鏡筒（１０）であって、前記枠体（２０２）は、前記緩衝部材（２０１）及び前記光学部材保持部（１１１）の外周側を覆う外筒部（２０２Ａ）を備え、前記緩衝部材（２０１）は、前記外筒部との間に空間を設けて設置された弾性部材によって構成されることを特徴とするレンズ鏡筒（１０）である。
請求項４に記載の発明は、請求項２または３に記載のレンズ鏡筒（１０）であって、前記緩衝部材（８０１）の外周側の面は、光軸に沿う断面が凹状に形成されていることを特徴とするレンズ鏡筒（１０）である。
請求項５に記載の発明は、請求項１に記載のレンズ鏡筒（１０）であって、前記緩衝部材（７０１）が、一端が前記枠体（２０２）に支持され、他端が前記光学部材保持部（１１１）に支持されるばね部材（７０１）によって構成されることを特徴とするレンズ鏡筒（１０）である。
請求項６に記載の発明は、請求項１から５のいずれか１項に記載のレンズ鏡筒（１０）であって、前記光学部材保持部（１１１）の対物側端面に前記枠体（２０２）及び前記緩衝部材（２０１）を保持させるねじ部材（２０３）と、前記ねじ部材（２０３）の頭頂部（２０３ａ）を対物側から覆うカバー部材（２０４）と、を備え、前記カバー部材（２０４）は、弾性部材によって構成され、前記ねじ部材（２０３）の前記頭頂部（２０３ａ）との間に空間を設けて設置されることを特徴とするレンズ鏡筒（１０）である。
請求項７に記載の発明は、光学部材（Ｌ４）と、前記光学部材（Ｌ４）を保持する光学部材保持部（１１１）と、前記光学部材保持部（１１１）の対物側に設置された緩衝部材（２０１）と、前記緩衝部材（２０１）の対物側に設置され、前記光学部材（Ｌ４）よりも対物側に位置する枠体（２０２）と、を備えることを特徴とするレンズ鏡筒（１０）と、前記レンズ鏡筒（１０）に装着され、前記レンズ鏡筒（１０）によって得られた光学的な被写体像を撮像するカメラ本体（２）と、を備えることを特徴とするカメラである。
なお、符号を付して説明した構成は、適宜改良してもよく、また、少なくとも一部を他の構成物に代替してもよい。
【発明の効果】
【０００６】
本発明によれば、外部からレンズ鏡筒に加わる衝撃をより適切に低減することが可能なレンズ鏡筒及びカメラを提供することができる。
【図面の簡単な説明】
【０００７】
【図１】本発明の一実施形態であるレンズ鏡筒及びカメラを示す断面図である。
【図２】緩衝機構を光軸に沿って切断した部分断面図である。
【図３】大径部の対物側の端部の一部を示す斜視図である。
【図４】緩衝部材の形状を示す平面図である。
【図５】緩衝部材とフィルタ枠体とねじとの設置状態を示す図である。
【図６】レンズ鏡筒の緩衝機構を前面側から見た平面図である。
【図７】緩衝部材としてばね部材を用いた場合の構成を示す図である。
【図８】光軸に沿った断面における外周側の辺が凹状を有するように形成されたゴム製の緩衝部材を示す図である。
【発明を実施するための形態】
【０００８】
以下、図面を参照して、本発明の一実施形態について説明する。
（全体構成）
図１は、本発明の一実施形態であるレンズ鏡筒１０及びカメラ１を示す断面図である。図１には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸ軸プラス方向、正位置において上側に向かう方向をＹ軸プラス方向、正位置において被写体に向かう方向をＺ軸プラス方向とする。
【０００９】
また、以下の説明では、光軸ＯＡと平行な方向を「前後方向」とし、被写体に向けられる側（被写体側）を「前面側」、他端側を「背面側」とそれぞれ称する。さらに、光軸ＯＡと平行な方向の移動を「直進」、光軸ＯＡ周りの移動を「回転」と称する。
カメラ１は、カメラボディ２と、カメラボディ２にマウント部３を介して着脱可能に結合されたレンズ鏡筒１０とにより構成されたデジタルカメラである。なお、本発明は、適用対象をデジタルカメラに限定されるものではなく、例えばフィルムを用いるスチルカメラにも適用可能である。
【００１０】
また、本実施形態のレンズ鏡筒１０は、緩衝機構Ａを備えている。緩衝機構Ａは、レンズ鏡筒１０に対して前面側から加わった衝撃を吸収し、レンズ鏡筒１０自身あるいはレンズ鏡筒１０の背面側に装着されたカメラボディ２等に伝わる衝撃を低減する機能を有するものである。この緩衝機構Ａの詳細な構成については後述する。
【００１１】
図１において、カメラボディ２は、光学的な被写体像を電気信号に変換する撮像素子２１を備えている。カメラ１は、レンズ鏡筒１０によって結像された被写体光像を撮像素子２１によって電気信号に変換し、カメラボディ２が備える図示しないメモリに画像情報として記録する。
【００１２】
（レンズ鏡筒）
レンズ鏡筒１０は、結像光学系を構成する複数のレンズ（第１レンズＬ１〜第５レンズＬ５）を備えており、入射した被写体光をカメラボディ２の撮像素子２１に結像させる。本実施形態のレンズ鏡筒１０は、光学系の合成焦点距離を変化させることのできる、いわゆるズームレンズである。図１は、レンズ鏡筒１０における焦点距離が最も短い状態（以下、広角状態という）を示している。
【００１３】
レンズ鏡筒１０は、前述したとおり、複数のレンズとして、第１レンズＬ１、第２レンズＬ２、第３レンズＬ３、第４レンズＬ４及び第５レンズＬ５を有する結像光学系を有している。
第１レンズＬ１、第２レンズＬ２、第３レンズＬ３、第４レンズＬ４及び第５レンズＬ５は、レンズ鏡筒１０の前面側から背面側に向かって、第４レンズＬ４、第５レンズＬ５、第１レンズＬ１、第２レンズＬ２、第３レンズＬ３の順番に配設されている。
第４レンズＬ４は、後述する第１固定筒１１の前面側の端部の内周側に支持されている。
第５レンズＬ５は、第４レンズＬ４よりも背面側において第５レンズ保持枠４５に保持された状態で第１固定筒１１の内周側に支持され、フォーカスレンズとして機能する。
第５レンズ保持枠４５は、光軸ＯＡ方向に沿って移動可能に構成される。
なお、第１レンズＬ１、第２レンズＬ２及び第３レンズＬ３は、それぞれ第１レンズ保持枠４１、第２レンズ保持枠４２、第３レンズ保持枠４３に保持された状態で第１固定筒１１の内周側に支持されている。
【００１４】
レンズ鏡筒１０は、さらに、第１固定筒１１と、第２固定筒１２と、レンズマウント３１と、カム筒１３と、フォーカス筒１４と、フォーカス操作環１５と、ズーム操作環１６と、を備えている。これらの各部材は、それぞれ円筒状に形成されている。
【００１５】
第１固定筒１１は、レンズ鏡筒１０における光軸ＯＡ方向の全域に亘る長さに形成されている。第１固定筒１１は、前面側（Ｚ軸プラス側）の大径部１１１と、背面側（Ｚ軸マイナス側）の小径部１１２とを備える。
大径部１１１は、第４レンズＬ４を保持している。大径部１１１の対物側端部には、後述するように、緩衝機構Ａが設置されている。
第２固定筒１２は、レンズ鏡筒１０の背面側において、第１固定筒１１の外部に同心状に位置しており、その背面側の端で第１固定筒１１に固定されている。
【００１６】
レンズマウント３１は、第１固定筒１１及び第２固定筒１２の背面側端部に設けられており、カメラボディ２と結合する。第１固定筒１１と第２固定筒１２とは、基端部（背面側の端）で結合されてレンズ鏡筒１０の基部を構成し、他の構成要素を保持している。
【００１７】
カム筒１３は、ズーム操作環１６の回転に連動して回転する。
フォーカス筒１４は、フォーカス操作環１５の回転に連動して回転する。また、フォーカス筒１４には、第５レンズ保持枠４５に設けられたピン４５ａを挿入するカム溝が設けられている。そして、フォーカス操作環１５の回転によりフォーカス筒１４が回転することにより、第５レンズ保持枠４５が移動する。
ズーム操作環１６は、第２固定筒１２に対して周方向に回転可能に設けられている。このズーム操作環１６は、図示しない係合部においてカム筒１３と係合し、カム筒１３と一体的に回転可能となっている。
【００１８】
また、第１レンズ保持枠４１の外周面には、第１カムピン２６が、光軸ＯＡ方向と交差する方向に突出して設けられている。この第１カムピン２６は、カム筒１３のズームカム溝を貫通して第１固定筒１１のズーム側直進ガイド溝に摺動移動可能に嵌合している。これにより、第１レンズ保持枠４１は、カム筒１３の回転によってズーム側直進ガイド溝に沿って光軸ＯＡ方向に移動されるようになっている。
【００１９】
（緩衝機構）
次に、図２から図６を参照して、本実施形態のレンズ鏡筒１０の緩衝機構Ａについて説明する。
図２は、緩衝機構Ａを光軸ＯＡに沿って切断した部分断面図である。なお、図２（ａ）は、緩衝機構Ａが、前述した第１固定筒１１の大径部１１１に取り付けられた状態を示している。図２（ｂ）は、図２（ａ）に示した緩衝機構Ａに前面側から外力が加わった状態を示している。図３は、大径部１１１の対物側の端部の一部を示す斜視図である。
【００２０】
本実施形態のレンズ鏡筒１０は、第４レンズＬ４の前面側にフィルタ（図示せず）を取り付け可能な構成となっている。そして、フィルタを取り付ける部材（フィルタ枠体２０２）を含めて緩衝機構Ａが構成され、図２に示すように、大径部１１１の対物側端部に配置され、緩衝部材２０１と、フィルタ枠体２０２と、ねじ２０３と、カバー部材２０４とを備える。
【００２１】
まず、緩衝機構Ａが取り付けられる大径部１１１について説明する。
大径部１１１の対物側端部には、図３に示すように、大径部１１１の外径Ｒよりも小さい第１の外径Ｒ１の外周面を有する円筒状部分Ｃ１と、第１の外径Ｒ１より小さい第２の外径Ｒ２の外周面を有する円筒状部分Ｃ２と、を有する段差構造１１１Ｓが形成されている。
大径部１１１は、面１１１ａ〜１１１ｆを有している。面１１１ａは、段差構造１１１Ｓの円筒状部分Ｃ２の対物側端面、面１１１ｂは、円筒状部分Ｃ１の対物側端面、面１１１ｃは、円筒状部分Ｃ２の外周面である。面１１１ｄは、円筒状部分Ｃ１の外周面、面１１１ｅは、大径部１１１の外周面と円筒状部分Ｃ１の外周面との間に位置する前面側を向く面、面１１１ｆは、大径部１１１の外周面である。
また、大径部１１１の面１１１ｂから背面側に向かって、ねじ孔２０３ｃ’が設けられている。
【００２２】
図４は、緩衝部材２０１の形状を示す平面図（前面側から見た図）である。緩衝部材２０１は、略円環状の弾性部材（例えば、内外ゴム株式会社製の「ハネナイト」（商標）等のゴム部材）によって構成されている。そして、図２に示すように、段差構造１１１Ｓにおける円筒状部分Ｃ２を囲う状態で配置されている。
緩衝部材２０１は、大径部１１１の対物側端部に形成された円筒状部分Ｃ２の外周面（面１１１ｃ）に、その内周面が接した状態で配置される。
【００２３】
緩衝部材２０１の外周面とフィルタ枠体２０２（後端部２０２Ａ）の内周面との間には、空間２１０が設けられている。
さらに、緩衝部材２０１には、図４に示すように、前面視において、内周側の４箇所に、ねじ２０３を通すＵ字状の切り欠き２０１Ａが形成されている。切り欠き２０１Ａは、ねじ２０３の太軸部２０３ｂの太さに応じた形状となっている。
図２の緩衝部材２０１は、切り欠き２０１Ａ部分における断面となっている。
【００２４】
フィルタ枠体２０２は、前面視において、大径部１１１の前端に重ねて配置された略円環状の部材である。なお、フィルタ枠体２０２の対物側の端部は、最も対物側に配置されている第４レンズＬ４の対物側面よりも対物側に位置している。即ち、例えば、カメラ１を落下させた場合、第４レンズＬ４よりも、フィルタ枠体２０２が先に障害物に衝突する。
フィルタ枠体２０２には、前面視において、緩衝部材２０１の切り欠き２０１Ａと対応する４箇所の位置に、ねじ２０３を挿通するねじ孔２０２ｈが形成されている。
また、フィルタ枠体２０２は、図２に示す断面部分において、大径部１１１の外周面（面１１１ｆ）に沿う内周面を有する後端部２０２Ａと、後端部２０２Ａの内周面よりも小さい内径を有する中間部２０２Ｂと、中間部２０２Ｂよりもさらに小さい内径を有し、その内周面に取付部２０２Ｓを備えた前端部２０２Ｃとを有している。
後端部２０２Ａと中間部２０２Ｂとの間の内径の差によって、背面側を向く段差面２０２Ｘが形成され、この段差面２０２Ｘは、緩衝部材２０１の前面側に当接している。
また、中間部２０２Ｂの外径よりも前端部２０２Ｃの外径は小さくなっており、この外径の差によって、前面側を向く段差面２０２Ｙが形成され、この段差面２０２Ｙに、ねじ２０３が挿通されるねじ孔２０２ｈが形成されている。
【００２５】
フィルタ枠体２０２の外周面（後端部２０２Ａの外周面）には、光軸ＯＡ方向に並ぶ２つの凸部２０２ｇが周方向に亘って設けられており、２つの凸部２０２ｇの間に形成される溝部には、レンズフードがバヨネット結合等によって取り付けられる。
ねじ２０３が、大径部１１１に設けられたねじ孔２０３ｃ’にねじ込まれると、ねじ２０３の頭頂部２０３ａと緩衝部材２０１の前面側との間にフィルタ枠体２０２の中間部２０２Ｂが挟みこまれ、フィルタ枠体２０２が、大径部１１１の先端部分に設置（保持）される。
【００２６】
また、フィルタ枠体２０２は、前端部２０２Ｃの内周面にフィルタ（図示せず）を保持するための取付部２０２Ｓを備えている。この取付部２０２Ｓは、例えば、フィルタ側に設けられたねじ溝とかみ合ってフィルタを固定するねじ止め構造とすることができる。フィルタとしては、第４レンズＬ４を保護するカバーフィルタや、紫外線フィルタまたは偏光フィルタ等、種々のフィルタ等がある。
【００２７】
ねじ２０３は、その頭頂部２０３ａが、フィルタ枠体２０２の中間部２０２Ｂ及び緩衝部材２０１を大径部１１１の対物側端部（面１１１ｂ）との間に挟み込んだ状態で大径部１１１のねじ孔２０３ｃ’にねじ止めされる。
これにより、ねじ２０３は、フィルタ枠体２０２及び緩衝部材２０１を大径部１１１の対物側端部に保持する。ねじ２０３の頭頂部２０３ａは、前面視において、カバー部材２０４によって覆われている。カバー部材２０４に前面側から外力が加わっていない状態において、頭頂部２０３ａとカバー部材２０４の背面側との間には、空間２１１が形成されている。
なお、ねじ２０３の軸部分は、太軸部２０３ｂと、細軸部２０３ｃとを有している。ねじ２０３のねじ孔２０３ｃ’は、後に図示するように、ねじ２０３の細軸部２０３ｃの太さに応じた形状を有している。
【００２８】
図５は、緩衝部材２０１とフィルタ枠体２０２とねじ２０３との設置状態を示す図であり、図５（ａ）は全体図、図５（ｂ）はねじ孔２０３ｃ’部分の部分拡大図である。
図５に示すように、大径部１１１のねじ孔２０３ｃ’に切り欠き２０１Ａを重ねた状態で、緩衝部材２０１が配置されている。また、緩衝部材２０１の前面側に、切り欠き２０１Ａにねじ孔２０２ｈを重ねた状態で、フィルタ枠体２０２が配置されている。そして、フィルタ枠体２０２のねじ孔２０２ｈと緩衝部材２０１の切り欠き２０１Ａを挿通して、ねじ２０３がねじ孔２０３ｃ’にねじ止めされている。このとき、ねじ２０３の頭頂部２０３ａがフィルタ枠体２０２の中間部２０２Ｂ及び緩衝部材２０１を大径部１１１の対物側端部との間に挟み込むことで、フィルタ枠体２０２と中間部２０２Ｂとを大径部１１１の前端部に保持する。
【００２９】
このような構成とすることにより、緩衝部材２０１は、段差構造１１１Ｓの円筒状部分Ｃ２の外周面（面１１１ｃ）に取り付けられる。
段差構造１１１Ｓにおける円筒状部分Ｃ２は、大径部１１１よりも外径が小さくなっている。緩衝部材２０１の外径は、円筒状部分Ｃ１の外径と同一となっている。
一方、フィルタ枠体２０２の後端部２０２Ａの内周面は、大径部１１１の外周面（面１１１ｆ）に沿う形状であるので、図２に示すように、後端部２０２Ａの内周面と、緩衝部材２０１の外周面との間に空間２１０が形成される。
【００３０】
カバー部材２０４は、その外径がフィルタ枠体２０２の外径と略等しく、その内径がフィルタ枠体２０２前端の円筒状部分Ｃ１の外径（面１１１ｃの外径）と略等しい円環状の部材であり、弾性を有する材料（例えばゴム等）で構成される。
カバー部材２０４は、フィルタ枠体２０２と嵌め合う構造を有しており、フィルタ枠体２０２に前面側から嵌め込まれることによって固定される。
【００３１】
図６は、図１に示したレンズ鏡筒１０の緩衝機構Ａを前面側から見た平面図である。
図６に示すように、緩衝機構Ａは、前面視において、カバー部材２０４と、取付部２０２Ｓと、凸部２０２ｇとが視認される。レンズ鏡筒１０に前面側から外力が入力する場合、最も対物側の端部に位置するカバー部材２０４及びフィルタ枠体２０２に最初に衝撃力が加わることになる。
【００３２】
図６に示したカバー部材２０４の背面側には、図５（ａ）に示すように、フィルタ枠体２０２と、ねじ２０３とが配置されている。さらに、フィルタ枠体２０２の背面側には、緩衝部材２０１が配置されている。カバー部材２０４の背面側と、ねじ２０３の頭頂部２０３ａとの間には、空間２１１が形成されている。この空間２１１は、カバー部材２０４（及びフィルタ枠体２０２の前端部２０２Ｃ）が前面側からの外力によってＺ軸マイナス方向に移動する際のストロークを確保している。
【００３３】
（作用）
次に、以上説明したカメラ１の作用について説明する。
レンズ鏡筒１０が組み立てられた状態においては、図２（ａ）に示したように、緩衝部材２０１の前面側は面１１１ａと面一となっており、フィルタ枠体２０２の後端部２０２Ａと中間部２０２Ｂとの内径の差によって形成される段差面２０２Ｘは、緩衝部材２０１を背面側に押圧していない状態となっている。
【００３４】
ここで、レンズ鏡筒１０に前面側から衝撃が加わった場合（例えば、カメラ１を落下させた場合等）、図２（ｂ）に示すように、緩衝機構Ａに対しては図中に示した矢線Ｆで示す方向の外力が加わる。このとき、緩衝機構Ａの最も対物側の端部に位置するカバー部材２０４（及びフィルタ枠体２０２の前端部２０２Ｃ）に外力が加わる。
本実施形態では、カバー部材２０４とフィルタ枠体２０２とが固定されており、ねじ２０３は大径部１１１に固定されている。そして、カバー部材２０４に前面側から外力が入力した場合、カバー部材２０４とフィルタ枠体２０２とは一体として、緩衝部材２０１を圧縮しながらＺ軸マイナス方向に移動する。
このとき、ねじ２０３の頭頂部２０３ａがカバー部材２０４の背面側と空間２１１を隔てて設置されているため、カバー部材２０４は外力によって矢線Ｆの方向（Ｚ軸マイナス方向）に移動する。前記したように、本実施形態のカバー部材２０４はゴム部材であるため、外力によって生じた衝撃は、カバー部材２０４によって一部が吸収される。
【００３５】
さらに、外力に応じたカバー部材２０４の移動により、フィルタ枠体２０２も矢線Ｆの方向に移動する。このとき、フィルタ枠体２０２は、緩衝部材２０１を背面側に押し込む。ゴム部材である緩衝部材２０１は、押し込まれたことによって変形し、外力によって生じた衝撃がさらに吸収される。
なお、本実施形態では、緩衝部材２０１の外周面と、フィルタ枠体２０２（後端部２０２Ａ）の内周面との間に空間２１０が設けられている。このため、外力が加わったことによって緩衝部材２０１の変形（外周面の膨張）が妨げられず、緩衝部材２０１による衝撃吸収効果を高めることができる。この空間２１０は、緩衝部材２０１の内周面と大径部１１１の面１１１ｃとの間に形成しても良い。
【００３６】
（効果）
以上説明したように、本実施形態のレンズ鏡筒１０は、レンズ鏡筒１０に対して前面側から外力が加わった場合、外力によってレンズ鏡筒１０内のレンズ等に加わる衝撃を緩衝部材２０１によって吸収させることができる。
このため、カメラ１の携帯時、あるいは操作時にレンズ鏡筒１０が他の物と接触して衝撃を受けたとき、この衝撃によってレンズ鏡筒１０内の光学系が位置ずれすることを防ぐことができる。
また、緩衝機構Ａがレンズ鏡筒１０の最も対物側の端部に位置しているため、他の物体とレンズ等の光学部材が接触し、光学部材が損傷することも防ぐことができる。
さらに、本実施形態のレンズ鏡筒は、レンズ鏡筒１０にフィルタを固定するフィルタ枠体２０２を利用して緩衝機構Ａを構成している。このため、緩衝機構Ａを設けるためにレンズ鏡筒１０の構造を大きく変更する必要がなく、カメラ１の操作性を損なうことがない。
【００３７】
以上、本実施形態によると、以下の効果を有する。
（１）カメラ１の前面側から加わる衝撃が緩衝部材２０１によって吸収されるため、外部からレンズ鏡筒１０に加わる衝撃をより適切に低減することができる。
（２）フィルタを第４レンズＬ４の直前で保持するためのフィルタ枠体２０２を用いて緩衝機構Ａを実現しているため、衝撃を吸収するための構成をレンズ鏡筒１０新たに取り付ける必要がない。
したがって、カメラ１の操作性を損なう事態を防止できる。
（３）フィルタ枠体２０２が第４レンズＬ４よりも対物側に位置している。このため、緩衝機構Ａは、カメラ１の落下時等に第４レンズＬ４よりも先に地面等の他の物体に衝突する。
したがって、緩衝機構Ａによって第４レンズＬ４を保護することが可能となる。
（４）緩衝部材２０１とフィルタ枠体２０２との間に空間２１０が形成されているため、外力が加わったときに緩衝部材２０１の変形が規制されず、より効果的に衝撃を低減することができる。
（５）カバー部材２０４が弾性を有するため、レンズ鏡筒１０の前面側から外力が加わったとき、カバー部材２０４によって衝撃を一部吸収することができるため、より効果的に衝撃を低減することができる。
【００３８】
（変形形態）
以上、説明した実施形態に限定されることなく、以下に示すような種々の変形や変更が可能であり、それらも本発明の範囲内である。
（１）図７は、緩衝部材２０１としてばね部材を用いた場合の構成を示す図である。図７においては、一端がフィルタ枠体２０２に支持され、他の一端が大径部１１１に支持されるばね部材７０１を緩衝部材に用いた構成を示している。
このような構成とした場合、Ｚ軸マイナス方向から加わった矢線Ｆで示した外力によってフィルタ枠体２０２が移動する。そして、フィルタ枠体２０２の移動によってばね部材７０１が縮み、外力によって生じる衝撃が吸収される。
（２）図８は、光軸ＯＡに沿った断面における外周側の辺が凹状を有するように形成されたゴム製の緩衝部材８０１を示す図である。
緩衝部材８０１の構成とした場合、Ｚ軸マイナス方向から外力が加わったとき、緩衝部材８０１がＺ軸方向に圧縮されて変形し、空間２１０の方向に突出する。
このとき、緩衝部材８０１の断面における外周側の辺が凹状となっているため、緩衝部材８０１が突出する度合いを低減できる。
したがって、外力によって生じる衝撃をさらに効果的に吸収することができる。
なお、緩衝部材８０１において、光軸ＯＡに沿った断面における内周側の辺が凹状を有するように形成することによっても、緩衝部材８０１が突出する度合いを低減できる。
【００３９】
（３）また、本実施形態は、ねじ２０３の太軸部２０３ｂに沿って切り欠かれたゴム部材を緩衝部材２０１として用いているが、緩衝部材２０１はこのような形状に限定されるものでなく、大径部１１１とフィルタ枠体２０２との間にあって衝撃を吸収するものであれば、どのような形状であってもよい。また、本実施形態は、フィルタ枠体２０２を大径部１１１にねじ止めしているが、本実施形態は、このような構成に限定されるものではなく、他の方法によってフィルタ枠体２０２を大径部１１１に固定するものであってもよい。
（４）さらに、本実施形態は、緩衝部材２０１として図２（ａ）、（ｂ）に示したゴム部材を用いているが、緩衝部材２０１はこのような構成に限定されるものではない。
（５）また、本実施形態において、緩衝機構Ａは第４レンズＬ４を保持する第１固定筒１１（大径部１１１）の対物側端部に設置するものとして説明したが、レンズ鏡筒１０の最も対物側端部に位置する部材であれば、レンズ以外の光学部材を保持する部材に緩衝機構Ａを設置することとしても良い。
【符号の説明】
【００４０】
１：カメラ、２：カメラボディ（カメラ本体）、１０：レンズ鏡筒、１１１：大径部（光学部材保持部）、２０１，８０１：緩衝部材、２０２：フィルタ枠体（枠体）、２０２Ａ：後端部（外筒部）、２０３：ねじ（ねじ部材）、２０３ａ：頭頂部、２０４：カバー部材、２１０：空間、Ｌ４：第４レンズ（レンズ）、ばね部材：７０１（ばね部材）
【図１】
2014035371.tif 000003
【図２】
2014035371.tif 000004
【図３】
2014035371.tif 000005
【図４】
2014035371.tif 000006
【図５】
2014035371.tif 000007
【図６】
2014035371.tif 000008
【図７】
2014035371.tif 000009
【図８】
2014035371.tif 000010